(57)【要約】【課題】単価マスタの煩雑な管理を行わずに単価の入力ミスを防止するとともに、単価入力ミスのチェック作業を容易に行えるようにする。【解決手段】単価管理装置１において、単価表示部１１が、単価マスタ１５を読み込んで取得したマスタ単価を受注入力画面に表示し、手入力判定部１２が、受注入力画面上から入力された単価が手入力により入力された単価かを判定し、色表示変更部１３が、手入力判定部１２によって、入力された単価が手入力により入力されたと判定された場合に、入力された単価の画面表示色を設定し、入力された単価を、設定した画面表示色で画面表示するための制御情報を単価表示部１１に対して送信し、単価表示部１１は、色表示変更部１３から受信した制御情報に基づいて、入力された単価を設定された画面表示色で画面表示する。【選択図】図１
2006350405.tif 000002
【特許請求の範囲】
【請求項１】
単価を管理する単価管理装置のコンピュータに実行させる単価管理プログラムであって、
前記コンピュータを、
単価マスタを読み込んで取得した単価であるマスタ単価を画面表示する単価表示手段と、
入力された単価と前記マスタ単価とを比較し、比較結果に基づいて、前記入力された単価が手入力により入力されたかを判定する手入力判定手段と、
前記手入力判定手段により、前記入力された単価が手入力により入力されたと判定された場合に、前記入力された単価の画面表示色を設定し、設定した画面表示色で前記入力された単価を画面表示するための制御情報を前記単価表示手段に対して送信する色表示変更手段として機能させるためのプログラムであって、
前記単価表示手段は、前記色表示変更手段から受信した制御情報に基づいて、前記入力された単価を前記設定された画面表示色で画面表示する
ことを特徴とする単価管理プログラム。
【請求項２】
請求項１に記載の単価管理プログラムにおいて、さらに、
前記コンピュータを、
入力された単価の帳票出力要求を受信し、予め記憶手段内に蓄積された、前記入力された単価を帳票出力する際の表示パターンである帳票表示パターンと前記入力された単価の画面表示色との対応情報に基づいて、前記帳票表示パターンを決定し、決定した前記帳票表示パターンに従って前記入力された単価を帳票出力する帳票表示手段として機能させる
ことを特徴とする単価管理プログラム。
【請求項３】
単価を管理する単価管理装置であって、
単価マスタを読み込んで取得した単価であるマスタ単価を画面表示する単価表示手段と、
入力された単価と前記マスタ単価とを比較し、比較結果に基づいて、前記入力された単価が手入力により入力されたかを判定する手入力判定手段と、
前記手入力判定手段により、前記入力された単価が手入力により入力されたと判定された場合に、前記入力された単価の画面表示色を設定し、設定した画面表示色で前記入力された単価を画面表示するための制御情報を前記単価表示手段に対して送信する色表示変更手段とを備え、
前記単価表示手段は、前記色表示変更手段から受信した制御情報に基づいて、前記入力された単価を前記設定された画面表示色で画面表示する
ことを特徴とする単価管理装置。
【請求項４】
請求項３に記載の単価管理装置において、
前記手入力判定手段は、入力された単価の前記マスタ単価に対する差異率を計算し、算出された差異率を所定の閾値と比較し、比較結果に基づいて、前記入力された単価の画面表示色を設定する
ことを特徴とする単価管理装置。
【請求項５】
請求項３または請求項４に記載の単価管理装置において、さらに、
入力された単価の帳票出力要求を受信し、予め記憶手段内に蓄積された、前記入力された単価を帳票出力する際の表示パターンである帳票表示パターンと前記入力された単価の画面表示色との対応情報に基づいて、前記帳票表示パターンを決定し、決定した前記帳票表示パターンに従って前記入力された単価を帳票出力する帳票表示手段を備える
ことを特徴とする単価管理装置。
【発明の詳細な説明】
【技術分野】
【０００１】
本発明は、販売管理における単価管理技術に関し、特に、標準的な取引以外の例外的取引が発生した場合において、入力された単価に応じて、画面に表示する単価の色を変更する単価管理プログラム及び単価管理装置に関するものである。
【背景技術】
【０００２】
販売管理の中で受注処理における販売金額の入力については、業界の慣習、得意先毎により様々な販売価格が存在する為、同一商品に対して複数の販売単価が必要となり、単価マスタの設定が困難であった。
【０００３】
また、一時的な特売期間の設定、大口取引による特別単価の採用等の例外処理に対してその都度、単価変更が発生し、システム運用は、煩雑となっているのが現状である。
【０００４】
なお、従来技術として、下記の特許文献１に、商品の値引き限度額を迅速に担当者に指示することができる価格管理方法及び管理システムが記載されている。
【特許文献１】特開２００２−３５８４４２号公報
【発明の開示】
【発明が解決しようとする課題】
【０００５】
従来の技術では、例外処理に対応するために、
（１）その都度単価マスタを登録する、（２）単価マスタを使わず、特別単価を直接入力するシステム（プログラム）を用意しておくなどの方法が取られている。
【０００６】
上記の（１）の方法では、単価マスタの管理が煩雑になり、また、緊急時に対応できない等の問題があった。
【０００７】
（２）の方法では、単価を直接入力するため、入力ミスが起こり易く、また標準取引であるにも関わらず特別単価を採用してしまうおそれがあるといった問題があった。
【０００８】
また、入力ミスが発生した場合、後からの調査は取引データの明細を対象とするため、調査量は膨大となることが多く、チェック作業の軽減が要望されている。
【０００９】
また、上記特許文献１に記載された技術は、端末で入力した価格をサーバー側で受信し、販売可能価格かどうかを判定し、端末に回答データとして送信するものであるが、後述する本発明のように、入力した単価と単価マスタ中の単価との差異率のレベル分けを行い、それに応じて画面表示色、帳票表示を変えて単価表示を行ってはいない。従って、上記特許文献１に記載された技術では、本発明のように、入力された単価を視覚的に識別することを通じて確実に管理することができない。
【００１０】
本発明は、上記従来の技術の問題点を解決し、単価マスタの煩雑な管理を行わずに単価の入力ミスを防止するとともに、単価入力ミスのチェック作業を容易に行えるようにする、単価管理プログラム及び単価管理装置の提供を目的とする。
【課題を解決するための手段】
【００１１】
上記課題を解決するため、本発明は、単価を管理する単価管理装置のコンピュータに実行させる単価管理プログラムであって、前記コンピュータを、単価マスタを読み込んで取得した単価であるマスタ単価を画面表示する単価表示手段と、入力された単価と前記マスタ単価とを比較し、比較結果に基づいて、前記入力された単価が手入力により入力されたかを判定する手入力判定手段と、前記手入力判定手段により、前記入力された単価が手入力により入力されたと判定された場合に、前記入力された単価の画面表示色を設定し、設定した画面表示色で前記入力された単価を画面表示するための制御情報を前記単価表示手段に対して送信する色表示変更手段として機能させるためのプログラムであって、前記単価表示手段は、前記色表示変更手段から受信した制御情報に基づいて、前記入力された単価を前記設定された画面表示色で画面表示することを特徴とする単価管理プログラムである。
【００１２】
また、本発明は、前記の単価管理プログラムにおいて、さらに、前記コンピュータを、入力された単価の帳票出力要求を受信し、予め記憶手段内に蓄積された、前記入力された単価を帳票出力する際の表示パターンである帳票表示パターンと前記入力された単価の画面表示色との対応情報に基づいて、前記帳票表示パターンを決定し、決定した前記帳票表示パターンに従って前記入力された単価を帳票出力する帳票表示手段として機能させることを特徴とする。
【００１３】
また、本発明は、単価を管理する単価管理装置であって、単価マスタを読み込んで取得した単価であるマスタ単価を画面表示する単価表示手段と、入力された単価と前記マスタ単価とを比較し、比較結果に基づいて、前記入力された単価が手入力により入力されたかを判定する手入力判定手段と、前記手入力判定手段により、前記入力された単価が手入力により入力されたと判定された場合に、前記入力された単価の画面表示色を設定し、設定した画面表示色で前記入力された単価を画面表示するための制御情報を前記単価表示手段に対して送信する色表示変更手段とを備え、前記単価表示手段は、前記色表示変更手段から受信した制御情報に基づいて、前記入力された単価を前記設定された画面表示色で画面表示することを特徴とする。
【００１４】
また、本発明は、前記の単価管理装置において、前記手入力判定手段は、入力された単価の前記マスタ単価に対する差異率を計算し、算出された差異率を所定の閾値と比較し、比較結果に基づいて、前記入力された単価の画面表示色を設定することを特徴とする。
【００１５】
また、本発明は、前記の単価管理装置において、さらに、入力された単価の帳票出力要求を受信し、予め記憶手段内に蓄積された、前記入力された単価を帳票出力する際の表示パターンである帳票表示パターンと前記入力された単価の画面表示色との対応情報に基づいて、前記帳票表示パターンを決定し、決定した前記帳票表示パターンに従って前記入力された単価を帳票出力する帳票表示手段を備えることを特徴とする。
【００１６】
より具体的には、本発明は、例えば、
（１）複数種類の単価マスタを用意しておき、どの単価マスタ中の単価を表示するかを設定できるようにしておく。すなわち、例えば、商品別の単価マスタ、得意先別の単価マスタ、得意先分類別の単価マスタ、得意先別／商品分類別の単価マスタ、得意先分類別／商品分類別の単価マスタ、倉庫別の単価マスタといった、６種類の単価マスタを用意し、それぞれの単価マスタ毎に予め設定された優先順位に基づいて、単価マスタを読み込んで、最初に読み込めた単価マスタから取得した単価を受注入力画面に表示する。
（２）単価マスタから取得して受注入力画面に表示した単価（マスタ単価）に対して、受注画面上から単価を入力することを可能とする。
（３）単価が入力された場合、入力された単価のマスタ単価に対する差異率を計算し、算出された差異率を予め設定された閾値と比較し、比較結果に基づいて単価の画面表示色を決定し、決定した画面表示色で単価を画面表示する。
【００１７】
例えば、後述するように、閾値として、差異率の上限と下限、差異率の上限と下限に対応するレベルと単価の画面表示色を設定しておき、算出された差異率が該当するレベルと画面表示色を決定する。
（４）上記差異率と閾値との比較結果と決定した単価の画面表示色の情報を取引明細データとして保持しておき、入力データの照会、帳票印刷においても、受注入力画面に表示した単価の画面表示色に応じた表示を行う。
【発明の効果】
【００１８】
本発明によれば、標準的な取引以外の例外的取引が発生した場合、その都度単価マスタを変更することなく単価管理の運用が可能である。
【００１９】
また、本発明によれば、直接入力した単価の値と閾値との比較結果に応じて決まる画面表示色で単価表示を行うため、入力ミスがなくなる。更に、閾値の条件を厳格に設定することにより、不当な入力行為が抑制できる。
【００２０】
また、本発明によれば、取引先との金額トラブルが発生した場合の調査において、データ照会、帳票出力で直接入力したデータが明らかになり、調査時間が大幅に短縮できる。
【発明を実施するための最良の形態】
【００２１】
以下に、図を用いて、本発明の実施の形態について説明する。図１は、本発明の単価管理装置の構成の一例を示す図である。但し、本発明は、図１に示す構成以外の様々な構成を採ることができる。
【００２２】
図１において、単価管理装置１は、単価表示部１１、手入力判定部１２、色表示変更部１３、帳票表示部１４、単価マスタ１５、システムマスタ１６、得意先マスタ１７、商品マスタ１８、倉庫マスタ１９、閾値テーブル２０、受注明細ファイル２１、帳票色表示テーブル２２を備える。単価マスタ１５は、１または複数存在するものとする。
【００２３】
単価表示部１１は、単価マスタ１５を読み込んで単価を取得し、取得した単価（マスタ単価）を受注入力画面上に画面表示するとともに、画面表示したマスタ単価を所定のバッファ（図示を省略）内に記憶する。また、単価表示部１１は、受注明細ファイル２１の内容を画面表示する。
【００２４】
手入力判定部１２は、受注入力画面上で入力された単価と単価表示部１１のバッファ内に記憶されたマスタ単価とを比較して、手入力により単価が入力されたかを判定する。色表示変更部１３は、手入力判定部１２によって、手入力により単価が入力されたと判定された場合に、入力された単価の、単価表示部１１のバッファ内に記憶されたマスタ単価に対する差異率を計算し、算出された差異率と、閾値テーブル２０内に設定された閾値情報とに基づいて、単価の画面表示色を決定し、決定した画面表示色で単価を画面表示するよう単価表示部１１に指示する。差異率の計算方法については後述する。
【００２５】
帳票表示部１４は、帳票出力する際の単価の表示パターンである帳票表示パターンを決定し、決定した帳票表示パターンで帳票出力する。
【００２６】
図２は、単価表示部の詳細な構成例を示す図である。単価表示部１１内において、システムマスタリード手段１１１は、システムマスタ１６を読み込んで、各単価マスタ１５を読み込む優先順位（単価マスタ優先順位）を記憶する。キー情報取得手段１１２は、各単価マスタ１５のキー情報を含む情報を取得する。キー情報取得手段１１２は、例えば、後述する受注入力画面上で入力された得意先コードに基づいて、得意先マスタ１７を用いて、単価マスタ１５のキー情報である得意先分類コードを取得する。その際、例えば、キー情報取得手段１１２は、単価マスタ１５のキー情報ではない得意先名情報を取得する構成を採ってもよい。
【００２７】
また、キー情報取得手段１１２は、例えば、受注入力画面上で入力された商品コードに基づいて、商品マスタ１８を用いて、単価マスタ１５のキー情報である商品分類コードを取得する。また、キー情報取得手段１１２は、例えば、手入力された受注日情報を単価マスタ１５のキー情報として取得する構成を採ってもよい。
【００２８】
なお、キー情報取得手段１１２は、例えば、受注入力画面上で入力された受注伝票番号を後述する受注明細ファイル２１内に設定する構成を採ってもよい。
【００２９】
単価マスタリード手段１１３は、キー情報取得手段１１２により取得されたキー情報に基づいて、システムマスタリード手段１１１により記憶されている、各単価マスタ１５を読み込む優先順位（単価マスタ優先順位）に従って、単価マスタ１５を読み込んで単価（マスタ単価）を取得する。単価マスタ優先順位が上位の単価マスタ１５に単価情報が設定されていない場合等には、より下位の単価マスタ優先順位の単価マスタ１５から取得された単価がマスタ単価である。また、単価マスタリード手段１１３は、取得したマスタ単価を単価表示部１１内の所定のバッファ内に記憶する。
【００３０】
表示手段１１４は、図示しないマウス、キーボード等の入力手段から入力される受注入力画面表示指示を受けて、受注入力画面を表示する。また、表示手段１１４は、単価マスタリード手段１１３が取得したマスタ単価を上記受注入力画面上に画面表示する。また、表示手段１１４は、後述する手入力判定部１２から制御情報を受信して、受信した制御情報に基づいて、受注明細ファイル２１の内容を画面表示する。また、色表示変更部１３から制御情報を受信し、受信した制御情報に基づいて、受注明細ファイル２１の内容を画面表示する。この場合、受注明細ファイル２１に設定されている単価（後述する「受注単価」項目の単価）については、色表示変更部１３によって設定された画面表示色で画面表示する。
【００３１】
なお、表示手段１１４が、さらに、キー情報取得手段１１２により得意先マスタ１７から取得された得意先名を画面表示する構成を採ってもよい。
【００３２】
図３は、手入力判定部の詳細な構成例を示す図である。手入力判定部１２内において、単価比較手段１２１は、表示されている受注入力画面上で入力された単価と、単価表示部１１内のバッファに記憶されたマスタ単価とを比較する。
【００３３】
手入力判定手段１２２は、単価比較手段１２１により比較された入力単価とマスタ単価とが一致しない場合に、単価が手入力されたと判定する。手入力判定手段１２２は、単価が手入力されたと判定した場合に、判定結果を色表示変更部１３に通知する。
【００３４】
受注明細ファイルリード／ライト手段１２３は、受注明細ファイル２１の読み込み／書き込みを行う。受注明細ファイルリード／ライト手段１２３は、例えば、手入力判定手段１２２による判定結果、入力された単価情報を受注明細ファイル２１設定する。例えば、入力された単価情報を受注明細ファイル２１の後述する「受注単価」項目に設定し、単価が手入力されたと判定した場合は、受注明細ファイル２１の「手入力区分」項目に「１」を設定する。
【００３５】
また、受注明細ファイルリード／ライト手段１２３が、さらに、受注入力画面において入力される受注数量情報を受注明細ファイル２１に設定する構成を採ってもよい。また、受注明細ファイルリード／ライト手段１２３は、読み込みまたは書き込みした受注明細ファイル２１の内容の画面表示を指示する制御情報を単価表示部１１に送信する。
【００３６】
さらに、単価修正の場面において、受注明細ファイルリード／ライト手段１２３は、受注明細ファイル２１を読み込み、受注明細ファイル２１内に設定された単価情報を単価比較手段１２１に通知する。また、単価比較手段１２１は、単価修正の場面において、入力された単価と、受注明細ファイルリード／ライト手段１２３が読み込んだ受注明細ファイル２１内の単価とを比較する。そして、単価比較手段１２１は、入力された単価と、受注明細ファイル２１内の単価とが一致しない場合に、単価マスタ１５を読み込んで単価（マスタ単価）を取得するとともに、マスタ単価と入力された単価とを比較する。
【００３７】
単価比較手段１２１は、マスタ単価と入力された単価とが一致する場合には、その旨を受注明細ファイルリード／ライト手段１２３に通知する。当該通知を受けた受注明細ファイルリード／ライト手段１２３は、例えば、受注明細ファイル２１に設定されている、「手入力区分」項目の情報、後述する「レベル」項目の情報及び「色」項目の情報をクリアして、当該クリア後の受注明細ファイル２１の内容の画面表示を指示する制御情報を単価表示部１１に送信する。
【００３８】
単価比較手段１２１は、マスタ単価と入力された単価とが不一致の場合には、色表示変更部１３にその旨を通知し、後述する色表示変更処理を行わせる。
【００３９】
図４は、色表示変更部の詳細な構成例を示す図である。色表示変更部１３内において、差異率計算手段１３１は、受注入力画面上で入力された単価（入力単価）の、単価マスタ１５に設定されているマスタ単価に対する差異率を計算する。差異率は、例えば、下記の計算式、
差異率＝入力単価／マスタ単価×１００  （％）
により算出する。
【００４０】
閾値テーブルリード手段１３２は、閾値テーブル２０を読み込む。表示色設定手段１３３は、算出された差異率を用いて、閾値テーブル２０を検索し、閾値テーブル２０に設定されている差異率のレベル情報と単価の画面表示色情報のうち、算出された差異率があてはまったレベルと、対応する画面表示色の情報とを受注明細ファイル２１に設定する。閾値テーブル２０のデータ構成については、後述する。
【００４１】
色表示変更手段１３４は、単価表示部１１に制御情報を送信して、受注明細ファイル２１の内容を画面表示させる。この場合、受注明細ファイル２１に設定された画面表示色で受注明細ファイル２１に設定されている単価（受注単価）が画面表示される。
【００４２】
図５は、帳票表示部の詳細な構成例を示す図である。帳票表示部１４内において、受注明細ファイルリード手段１４１は、入力された帳票出力要求を受信して、受注明細ファイル２１を読み込む。手入力区分判定手段１４２は、読み込まれた受注明細ファイル２１に設定されている手入力区分を判定する。帳票表示パターン決定手段１４３は、手入力区分の判定の結果、受注明細ファイル２１に設定された単価が手入力されたものであると判断した場合、帳票色表示テーブル２２を読み込み、受注明細ファイル２１の内容を帳票出力する際の、単価の表示パターンである帳票表示パターンを決定する。帳票出力手段１４４は、決定された帳票表示パターンに従って帳票出力を行う。
【００４３】
図６または図７は、単価マスタの例を示す図である。単価マスタ１５としては、例えば、図６（Ａ）に示すような商品別の単価マスタ１５、図６（Ｂ）に示すような、得意先別の単価マスタ１５、図６（Ｃ）に示すような、得意先分類（量販店、百貨店、一次卸店等）別の単価マスタ１５、図７（Ａ）に示すような、得意先別／商品分類別の単価マスタ１５、図７（Ｂ）に示すような、得意先分類別／商品分類別の単価マスタ１５、図７（Ｃ）に示すような、倉庫別の単価マスタ１５という６種類の単価マスタ１５がある。
【００４４】
各単価マスタ１５は、キー情報が設定される「ＫＥＹ」項目と、単価情報が設定される「単価」項目と、「単価」項目の単価の適用終了日付が設定される「期間終了」項目とから構成される。「ＫＥＹ」項目は、例えば図６（Ａ）に示す商品別の単価マスタ１５では、商品のコード情報が設定される「商品コード」項目、商品のメーカーのコード情報が設定される「メーカーコード」項目、「単価」項目の単価の適用開始日付が設定される「期間開始」項目から構成される。
【００４５】
また、図６（Ｂ）に示す得意先別の単価マスタ１５では、「ＫＥＹ」項目は、得意先のコード情報が設定される「得意先コード」項目、支店コード情報が設定される「支店コード」項目と、「商品コード」項目、「メーカーコード」項目、「期間開始」項目から構成される。また、図６（Ｃ）に示す得意先分類別の単価マスタ１５では、「ＫＥＹ」項目は、得意先分類コードの情報が設定される「得意先分類コード」項目と、「商品コード」項目、「メーカーコード」項目、「期間開始」項目から構成される。また、図７（Ａ）に示す得意先別／商品分類別の単価マスタ１５では、「ＫＥＹ」項目は、「得意先コード」項目、「支店コード」項目と、商品分類コード情報が設定される「商品分類コード」項目と、「期間開始」項目とから構成される。また、図７（Ｂ）に示す得意先分類別／商品分類別の単価マスタ１５では、「ＫＥＹ」項目は、「得意先分類コード」項目、「商品分類コード」項目、「期間開始」項目から構成される。また、図７（Ｃ）に示す倉庫別の単価マスタ１５では、「ＫＥＹ」項目は、倉庫コード情報が設定される「倉庫コード」項目と、「商品コード」項目、「メーカーコード」項目、「期間開始」項目から構成される。
【００４６】
但し、図６または図７に示す単価マスタ１５は、一例であり、例えば、図６（Ａ）に示す商品別の単価マスタ１５、図６（Ｂ）に示す得意先別の単価マスタ１５、図６（Ｃ）に示す得意先分類別の単価マスタ１５、図７（Ｃ）に示す倉庫別の単価マスタ１５において、「メーカーコード」項目として固定値を設定し、メーカーコード情報を用いなくとも単価マスタ１５の検索ができるように構成してもよい。
【００４７】
本発明の実施の形態においては、上記６種類の単価マスタ１５の全てを設定する必要はなく、この６種類の単価マスタ１５を、どの順番から読み込んでいくかの優先順位を、後述するシステムマスタ１６に予め設定してある。
【００４８】
各単価マスタ１５には、「期間開始」項目と「期間終了」項目により決まる単価適用期間が設定してあり、入力された受注日情報に基づいて、期間内の単価が適用される。例えば、図６（Ａ）に示す商品別の単価マスタ１５では、商品コード「１０１０１０」について、受注日が２００４年１月１日から２００４年１２月３１日の日付である場合に、単価「８０」円が適用される。
【００４９】
なお、単価改訂時には、「期間開始」項目を未来日付で指定することにより、単価マスタ１５の事前登録が可能である。
【００５０】
図８は、システムマスタの例を示す図である。システムマスタ１６は、例えば、システムマスタ１６の各行を一意に識別するコードである「識別コード」、各単価マスタ１５を読み込む優先順位（単価マスタ優先順位）が設定される「単価マスタ優先順位」といった項目から構成される。図８に示す例では、単価マスタ優先順位として「１」が設定されている得意先別の単価マスタ１５の優先順位が最も高く、次いで、「２」が設定されている商品別の単価マスタ１５、「３」が設定されている得意先分類別の単価マスタ１５、「４」が設定されている倉庫別の単価マスタ１５の順の優先順位となっている。
【００５１】
図９は、得意先マスタの例を示す図である。得意先マスタ１７は、例えば、得意先コード情報と支店コード情報とからなる「ＫＥＹ」項目、「得意先分類コード」項目、得意先名情報が設定される「得意先名」項目といったデータ構成を有する。
【００５２】
図１０は、商品マスタの例を示す図である。商品マスタ１８は、商品コード情報とメーカーコード情報とからなる「ＫＥＹ」項目、「商品分類コード」項目、商品名情報が設定される「商品名」項目といったデータ構成を有する。なお、図１０に示す商品マスタ１８において、「メーカーコード」項目は、固定値として、商品コード情報のみを用いて商品マスタ１８を検索できるデータ構成を採ってもよい。
【００５３】
図１１は、倉庫マスタの例を示す図である。倉庫マスタ１９は、倉庫コード情報をキー情報として持つ「ＫＥＹ」項目と、倉庫名情報が設定される「倉庫名」項目といったデータ構成を有する。
【００５４】
図１２は、閾値テーブルの例を示す図である。閾値テーブル２０は、例えば、得意先コード、支店コードを指定することによって検索できる。図１２に示すように、閾値テーブル２０には、得意先コード及び支店コード毎に複数の「閾値」（図中、閾値１、閾値２等）項目が設定されており、各「閾値」項目は、入力された単価の単価マスタ１５中の単価（マスタ単価）に対する差異率の上限を示す「上限」項目と、差異率の下限を示す「下限」項目と、差異率のレベルを示す「レベル」項目と、単価を画面表示する際の画面表示色情報を示す「色」項目というデータ構成を有する。
【００５５】
例えば、図１２に示す閾値テーブル２０において、得意先コードが「１００００１」で、入力された単価について算出された差異率が９０％であるとすると、差異率の下限として８８％、上限として９９％が設定されている「閾値１」が適用され、該当する「レベル」は「１」、「色」は「青」となる。
【００５６】
なお、図１２中、得意先コード「９９９９９９」に対応する各閾値は、標準の閾値を示している。また、図１２に示した閾値テーブル２０は、一例であり、図中に示す閾値１、閾値２の他に、例えば、標準の閾値３として、差異率の上限「７９％」、下限「７０％」の範囲に対応させて、差異率のレベル「１」、画面表示色「オレンジ」を設定し、標準の閾値４として、差異率の上限「６９％」、下限「６０％」の範囲に対応させて、差異率のレベル「２」、画面表示色「赤」を設定してもよい。
【００５７】
図１３は、受注明細ファイルの例を示す図である。受注明細ファイル２１は、受注伝票番号と行番号とをキー情報として持つ「ＫＥＹ」項目と、受注数量を示す「数量」項目と、受注単価を示す「受注単価」項目と、受注金額を示す「受注金額」項目と、単価が手入力されたものかを示す「手入力区分」項目と、前述した閾値テーブル２０中のどの差異率のレベルが適用されたかを示す「レベル」項目と、当該受注伝票番号及び行番号に対応する受注単価が画面表示される際の画面表示色情報を示す「色」項目というデータ構成を有する。
【００５８】
図１４は、帳票色表示テーブルの例を示す図である。帳票色表示テーブル２２は、単価の画面表示色情報を示す「色」項目と、受注明細ファイルの内容を帳票表示する際の、単価についての帳票表示パターン名を示す「表示」項目と、帳票表示する際の実際の帳票表示パターンというデータ構成を有する。帳票色表示テーブル２２の「色」項目は、受注明細ファイル２１に設定される各画面表示色に対応している。
【００５９】
図１４に示す帳票色表示テーブル２２によると、例えば、画面表示色「青」に対応する帳票表示パターン名は「パターン１」であり、帳票表示する際には、表示される単価上に横縞の入った網かけが施される。
【００６０】
図１５は、受注入力画面の例を示す図である。図１５に示す受注入力画面は、ヘッド部３１と明細部３２と入力部３３を有する。ヘッド部３１は、例えば、受注伝票番号が入力・表示される受注伝票番号欄１００と、受注日が入力・表示される受注日欄１０１と、得意先コードが入力・表示される得意先コード欄１０２と、支店コードが入力・表示される支店コード欄１０３と、得意先名が表示される得意先名欄１０４とを有する。
【００６１】
明細部３２には、受注明細ファイル２１の内容が表示される。入力部３３には、明細部３２に表示される行情報を入力・表示する行欄２００と、商品コードが入力・表示される商品コード欄２０１と、倉庫コードが入力・表示される倉庫コード欄２０２と、受注数量が入力・表示される数量欄２０３と、受注単価が入力・表示される受注単価欄２０４と、受注金額が表示される受注金額欄２０５と、商品名が表示される商品名欄２０６とから構成される。
【００６２】
図１５に示す受注入力画面は、もちろん一例であり、本発明における受注入力画面は、図１５に示す画面構成以外の様々な構成を採ることができる。例えば、ヘッド部３１において、受注担当者名や、出荷予定日等を入力・表示できる欄を設けてもよい。
【００６３】
図１６は、本発明の実施の形態に係る、単価表示処理の例を説明する図である。単価管理装置１において、受注入力画面表示指示が入力されると、単価表示部１１は、システムマスタ１６を読み込み（ステップＳ１）、単価マスタ優先順位を所定のバッファ内に記憶する（ステップＳ２）。例えば、図８に示すシステムマスタ１６内に設定されているように、得意先別の単価マスタ１５の単価マスタ優先順位「１」、商品別の単価マスタ１５の単価マスタ優先順位「２」、得意先分類別の単価マスタ１５の単価マスタ優先順位「３」、倉庫別の単価マスタ１５の単価マスタ優先順位「４」を記憶する。
【００６４】
単価表示部１１は、受注入力画面を表示し、ヘッド部３１の得意先コードの入力（例えば図１５に示すヘッド部３１の得意先コード欄１０２への入力）を待ち合わせる（ステップＳ３）。ステップＳ３においては、例えば、図１５に示す受注入力画面における受注日欄１０１への受注日の入力や、支店コード欄１０３における支店コードの入力も待ち合わせるようにしてもよい。また、単価表示部１１が、上記ステップＳ３において、さらに、例えば図１５に示す受注入力画面における受注伝票番号欄１００への受注伝票番号の入力を待ち合わせ、入力された受注伝票番号を受注明細ファイル２１に設定するようにしてもよい。
【００６５】
次に、得意先コードが入力されると、単価表示部１１は、得意先マスタ１７を読み込み（ステップＳ４）、得意先分類コードを所定のバッファ内に記憶する（ステップＳ５）。そして、単価表示部１１は、受注入力画面において得意先名を表示し、商品コード、倉庫コードの入力を待ち合わせる（ステップＳ６）。例えば、図１５に示す受注入力画面において、ヘッド部３１の得意先名欄１０４に、得意先マスタ１７から読み込んだ得意先名を表示するとともに、入力部３３の商品コード欄２０１、倉庫コード欄２０２における入力を待ち合わせる。
【００６６】
次に、単価表示部１１は、入力された商品コードを基に商品マスタ１８を読み込み（ステップＳ７）、商品マスタ１８から取得した商品分類コードを所定のバッファ内に記憶する（ステップＳ８）。また、単価表示部１１は、入力された倉庫コードを基に倉庫マスタ１９を読み込み（ステップＳ９）、倉庫コードを所定のバッファ内に記憶する（ステップＳ１０）。
【００６７】
単価表示部１１は、ステップＳ２で記憶した単価マスタ優先順位に従って単価マスタ１５を読み込む（ステップＳ１１）。すなわち、優先順位が高い単価マスタ１５から順に読み込む。各単価マスタ１５の読み込みの際には、例えば、ステップＳ５で記憶した得意先分類コードや、ステップＳ８で記憶した商品分類コードや、ステップＳ１０で記憶した倉庫コードなどをキー情報として用いる。また、本発明の実施の形態においては、例えば、ステップＳ３の説明において述べた、入力された受注日、支店コードの情報も単価マスタ１５の読み込みの際のキー情報として用いる構成を採ってもよい。
【００６８】
そして、単価表示部１１は、最初に読み込めた単価マスタ１５の単価（マスタ単価）を表示し、表示したマスタ単価を所定のバッファ内に記憶する（ステップＳ１２）。例えば、図１５に示す受注入力画面において、入力部３３の受注単価欄２０４にマスタ単価を表示する。
【００６９】
単価表示部１１は、手入力判定部１２または色表示変更部１３から、受注明細ファイル２１の内容の画面表示を指示する制御情報を受けると（ステップＳ１３）、受注入力画面の明細部３２に受注明細ファイルの内容を画面表示する（ステップＳ１４）。ステップＳ１４において、例えば受注明細ファイル２１に設定されている単価の画面表示色が黄色である場合には、図１５に示す受注入力画面の明細部３２において、その単価を黄色で表示する。
【００７０】
図１７は、本発明の実施の形態に係る、新規に単価が入力された際の手入力判定処理の例を説明する図である。例えば、図１５に示す受注入力画面の、単価が表示されている受注単価欄２０４において、新たに単価が入力されたとする。なお、単価の入力と共に、通常は、図１５中の数量欄２０３に受注数も入力される。
【００７１】
手入力判定部１２は、入力された単価と単価表示部１１内の所定のバッファ内に記憶されている、単価マスタ１５から読み込まれた単価（マスタ単価）とを比較する（ステップＳ２１）。
【００７２】
入力された単価とマスタ単価とが同じなら（ステップＳ２２）、入力された単価を受注明細ファイル２１に設定した上で、単価表示部１１に対して受注明細ファイル２１の内容の画面表示を指示する制御情報を送信する（ステップＳ２５）。当該制御情報を受信した単価表示部１１は、上述したステップＳ１４において、画面表示色を付けずに単価表示する。
【００７３】
入力された単価とマスタ単価とが異なる場合、手入力判定部１２は、受注明細ファイル２１の「手入力区分」項目に「１」をセットする（ステップＳ２３）。そして、色表示変更部１３を呼び出して、後述する色表示変更処理を実行させる（ステップＳ２４）。
【００７４】
なお、本発明の実施の形態においては、上記ステップＳ２５において、手入力判定部１２が、入力された単価の他に、入力された受注数、そして、入力された受注数と単価から算出される受注金額を受注明細ファイル２１に設定する構成を採ってもよい。もちろん、本発明においては、例えば、単価管理装置１が備える図示しない別の処理手段が、入力された単価、受注数、そして、受注数と単価から算出される受注金額を受注明細ファイル２１に設定する構成を採ることもできる。
【００７５】
図１８は、本発明の実施の形態に係る、色表示変更処理の例を説明する図である。色表示変更部１３は、閾値テーブル２０の読み込みを行う（ステップＳ３１）。閾値テーブル２０の読み込みの際には、例えば、得意先コード、支店コードをキー情報として読み込む。
【００７６】
また、色表示変更部１３は、入力された単価のマスタ単価に対する差異率を計算する（ステップＳ３２）。そして、算出した差異率を用いて、閾値テーブル２０に設定されている各閾値の「上限」項目と「下限」項目を検索し、該当する閾値を決定する（ステップＳ３３）。例えば、図１２に示す閾値テーブル２０において、得意先コードが「１００００１」の場合、算出した差異率が８０％であれば、該当する閾値は閾値２である。なお、ある得意先コードについての閾値が、閾値テーブル２０内に設定されていない場合には、標準の閾値（図１２の閾値テーブル２０における得意先コードが「９９９９９９」に対応する閾値）が適用される。
【００７７】
色表示変更部１３は、該当する閾値の「レベル」項目に設定された差異率のレベルと「色」項目に設定された画面表示色情報、そして、入力された単価を、受注明細ファイル２１に設定する（ステップＳ３４）。例えば、図１２に示す閾値テーブル２０において、得意先コードが「１００００１」、差異率が８０％の場合、該当する閾値は閾値２であるので、「レベル」項目として「２」、「色」項目として「黄」が受注明細ファイル２１に設定される。なお、上記ステップＳ３４においては、例えば、色表示変更部１３が、差異率のレベルと画面表示色情報、入力された単価の他に、受注入力画面において入力された受注数、そして、入力された受注数と単価から算出される受注金額を受注明細ファイル２１に設定する構成を採ってもよい。もちろん、本発明においては、例えば、単価管理装置１が備える図示しない別の処理手段が、入力された単価、受注数、そして、受注数と単価から算出される受注金額を受注明細ファイル２１に設定する構成を採ることもできる。
【００７８】
そして、色表示変更部１３は、単価表示部１１に対して、画面表示色情報が設定された受注明細ファイル２１の内容の画面表示を指示する制御情報を送信する（ステップＳ３５）。受注明細ファイル２１において、「色」項目に「黄」が設定されている場合には、制御情報を受けた単価表示部１１の処理により、受注入力画面の明細部３２において、受注明細ファイル２１に設定されている、対応する単価が黄色で画面表示される。
【００７９】
図１９は、本発明の実施の形態に係る、帳票出力処理の例を説明する図である。帳票表示部１４は、受注伝票番号が指定された帳票処理要求を受信する（ステップＳ４１）と、受注明細ファイル２１を読み込んで（ステップＳ４２）、該当する行番号に対応する手入力区分を判定する（ステップＳ４３）。
【００８０】
手入力区分に「１」が設定されてない場合は、受注明細ファイル２１に設定された内容の帳票出力を行う（ステップＳ４８）。手入力区分に「１」が設定されている場合は、帳票色表示テーブル２２を参照し（ステップＳ４５）、対応する帳票表示パターンを決定する（ステップＳ４６）。例えば、受注明細ファイル２１の「色」項目に「黄」が設定されている場合には、図１４に示す帳票色表示テーブル２２の「色」項目に設定されている「黄」に対応するパターン２が、帳票表示パターンとして決定される。
【００８１】
そして、帳票表示部１４は、決定された帳票表示パターンに従って、帳票出力を行う（ステップＳ４７）。ステップＳ４７における帳票出力においては、例えば、受注明細ファイル２１に設定されている、対応する単価が、パターン２で網かけ等されて表示される。
【００８２】
図２０は、本発明の実施の形態に係る、単価を修正する際の手入力判定処理の例を説明する図である。手入力判定部１２は、受注伝票番号の入力の待ち合わせを行い（ステップＳ５１）、入力された受注伝票番号を基に受注明細ファイル２１を読み込み（ステップＳ５２）、読み込んだ受注明細ファイル２１の内容の画面表示を指示する制御情報を単価表示部１１に送信して、受注明細ファイル２１の内容を画面表示させる（ステップＳ５３）。例えば、図１３に示す受注明細ファイル２１の場合、受注伝票番号「５０００１」に対応する設定内容については、受注入力画面の明細部３２に、例えば、図２１に示すような画面表示がされる。例えば、点線の楕円で囲った部分に示す、行番号「３」についての受注単価「２，５００」が、黄色で表示される。
【００８３】
次に、単価が入力されると（ステップＳ５４）、入力された単価と受注明細ファイル２１に設定された単価（受注明細ファイル単価）とを比較する（ステップＳ５５）。入力された単価が受注明細ファイル単価と同じである場合には（ステップＳ５６）、処理を終了し、入力された単価が受注明細ファイル単価と異なる場合には、単価マスタ１５を読み込んでマスタ単価を取得し、入力された単価とマスタ単価とを比較する（ステップＳ５７）。
【００８４】
入力された単価とマスタ単価とが異なる場合には（ステップＳ５８）、色表示変更部１３を呼び出して色表示変更処理を行わせ（ステップＳ６１）、入力された単価とマスタ単価とが同じ場合には、受注明細ファイル２１の「手入力区分」項目、「レベル」項目、「色」項目に設定された内容をクリアして受注明細ファイル２１の設定内容を修正した上で（ステップＳ５９）、修正後の受注明細ファイル２１の内容の画面表示を指示する制御情報を単価表示部１１に送信する（ステップＳ６０）。この制御情報を受けた単価表示部１１によって画面表示される単価には、画面表示色が付けられない。
【００８５】
ステップＳ５９に示した処理は、入力された単価とマスタ単価とが同じ場合には、一旦手入力で単価が入力されたが、その後、手入力で単価マスタ１５に設定されている単価（マスタ単価）が入力されたと判断して、受注明細ファイルに設定されている設定内容を修正する処理を行うものである。
【００８６】
なお，本発明は，コンピュータにより読み取られ実行されるプログラムとして実施することもできる。本発明を実現するプログラムは，コンピュータが読み取り可能な，可搬媒体メモリ，半導体メモリ，ハードディスクなどの適当な記録媒体に格納することができ，これらの記録媒体に記録して提供され，または，通信インタフェースを介してネットワークを利用した送受信により提供されるものである。
【００８７】
以上から把握できるように，本発明の実施の形態の特徴を述べると，以下のとおりである。
【００８８】
（付記１）  単価を管理する単価管理装置のコンピュータに実行させる単価管理プログラムであって、
前記コンピュータを、
単価マスタを読み込んで取得した単価であるマスタ単価を画面表示する単価表示手段と、
入力された単価と前記マスタ単価とを比較し、比較結果に基づいて、前記入力された単価が手入力により入力されたかを判定する手入力判定手段と、
前記手入力判定手段により、前記入力された単価が手入力により入力されたと判定された場合に、前記入力された単価の画面表示色を設定し、設定した画面表示色で前記入力された単価を画面表示するための制御情報を前記単価表示手段に対して送信する色表示変更手段として機能させるためのプログラムであって、
前記単価表示手段は、前記色表示変更手段から受信した制御情報に基づいて、前記入力された単価を前記設定された画面表示色で画面表示する
ことを特徴とする単価管理プログラム。
【００８９】
（付記２）  付記１に記載の単価管理プログラムにおいて、
前記手入力判定手段は、入力された単価の前記マスタ単価に対する差異率を計算し、算出された差異率を所定の閾値と比較し、比較結果に基づいて、前記入力された単価の画面表示色を設定する
ことを特徴とする単価管理プログラム。
【００９０】
（付記３）  付記１または付記２に記載の単価管理プログラムにおいて、さらに、
前記コンピュータを、
入力された単価の帳票出力要求を受信し、予め記憶手段内に蓄積された、前記入力された単価を帳票出力する際の表示パターンである帳票表示パターンと前記入力された単価の画面表示色との対応情報に基づいて、前記帳票表示パターンを決定し、決定した前記帳票表示パターンに従って前記入力された単価を帳票出力する帳票表示手段として機能させる
ことを特徴とする単価管理プログラム。
【００９１】
（付記３）  付記１乃至付記３までのいずれかに記載の単価管理プログラムにおいて、
前記単価表示手段は、予め決められた単価マスタを読み込む優先順位に基づいて、１または複数の単価マスタを読み込み対象として順次読み込み、読み込み対象の単価マスタから最初に取得された単価を前記マスタ単価として画面表示する
ことを特徴とする単価管理プログラム。
【００９２】
（付記４）  単価を管理する単価管理装置であって、
単価マスタを読み込んで取得した単価であるマスタ単価を画面表示する単価表示手段と、
入力された単価と前記マスタ単価とを比較し、比較結果に基づいて、前記入力された単価が手入力により入力されたかを判定する手入力判定手段と、
前記手入力判定手段により、前記入力された単価が手入力により入力されたと判定された場合に、前記入力された単価の画面表示色を設定し、設定した画面表示色で前記入力された単価を画面表示するための制御情報を前記単価表示手段に対して送信する色表示変更手段とを備え、
前記単価表示手段は、前記色表示変更手段から受信した制御情報に基づいて、前記入力された単価を前記設定された画面表示色で画面表示する
ことを特徴とする単価管理装置。
【００９３】
（付記５）  付記４に記載の単価管理装置において、
前記手入力判定手段は、入力された単価の前記マスタ単価に対する差異率を計算し、算出された差異率を所定の閾値と比較し、比較結果に基づいて、前記入力された単価の画面表示色を設定する
ことを特徴とする単価管理装置。
【００９４】
（付記６）  付記４または付記５に記載の単価管理装置において、さらに、
入力された単価の帳票出力要求を受信し、予め記憶手段内に蓄積された、前記入力された単価を帳票出力する際の表示パターンである帳票表示パターンと前記入力された単価の画面表示色との対応情報に基づいて、前記帳票表示パターンを決定し、決定した前記帳票表示パターンに従って前記入力された単価を帳票出力する帳票表示手段を備える
ことを特徴とする単価管理装置。
【００９５】
（付記７）  付記４乃至付記６までのいずれかに記載の単価管理装置において、
前記単価表示手段は、予め決められた単価マスタを読み込む優先順位に基づいて、１または複数の単価マスタを読み込み対象として順次読み込み、読み込み対象の単価マスタから最初に取得された単価を前記マスタ単価として画面表示する
ことを特徴とする単価管理装置。
【００９６】
（付記８）  単価を管理する単価管理方法であって、
単価マスタを読み込んで取得した単価であるマスタ単価を画面表示するステップと、
入力された単価と前記マスタ単価とを比較し、比較結果に基づいて、前記入力された単価が手入力により入力されたかを判定するステップと、
前記入力された単価が手入力により入力されたと判定された場合に、前記入力された単価の画面表示色を設定し、設定した画面表示色で前記入力された単価を画面表示するステップとを有する
ことを特徴とする単価管理方法。
【００９７】
（付記９）  付記８に記載の単価管理方法において、
入力された単価の前記マスタ単価に対する差異率を計算し、算出された差異率を所定の閾値と比較し、比較結果に基づいて、前記入力された単価の画面表示色を設定する
ことを特徴とする単価管理方法。
【００９８】
（付記１０）  付記８または付記９に記載の単価管理方法において、さらに、
入力された単価の帳票出力要求を受信し、予め記憶手段内に蓄積された、前記入力された単価を帳票出力する際の表示パターンである帳票表示パターンと前記入力された単価の画面表示色との対応情報に基づいて、前記帳票表示パターンを決定し、決定した前記帳票表示パターンに従って前記入力された単価を帳票出力するステップを有する
ことを特徴とする単価管理方法。
【００９９】
（付記１１）  付記８乃至付記１０までのいずれかに記載の単価管理方法において、
前記マスタ単価を画面表示するステップは、予め決められた単価マスタを読み込む優先順位に基づいて、１または複数の単価マスタを読み込み対象として順次読み込み、読み込み対象の単価マスタから最初に取得された単価を前記マスタ単価として画面表示する
ことを特徴とする単価管理方法。
【産業上の利用可能性】
【０１００】
本発明は、取引件数が多く、多種の販売価格が存在する業界（流通業における卸業）の販売管理システムに利用できる。
【図面の簡単な説明】
【０１０１】
【図１】本発明の単価管理装置の構成の一例を示す図である。
【図２】単価表示部の詳細な構成例を示す図である。
【図３】手入力判定部の詳細な構成例を示す図である。
【図４】色表示変更部の詳細な構成例を示す図である。
【図５】帳票表示部の詳細な構成例を示す図である。
【図６】単価マスタの例を示す図である。
【図７】単価マスタの例を示す図である。
【図８】システムマスタの例を示す図である。
【図９】得意先マスタの例を示す図である。
【図１０】商品マスタの例を示す図である。
【図１１】倉庫マスタの例を示す図である。
【図１２】閾値テーブルの例を示す図である。
【図１３】受注明細ファイルの例を示す図である。
【図１４】帳票色表示テーブルの例を示す図である。
【図１５】受注入力画面の例を示す図である。
【図１６】単価表示処理の例を説明する図である。
【図１７】新規に単価が入力された際の手入力判定処理の例を説明する図である。
【図１８】色表示変更処理の例を説明する図である。
【図１９】帳票出力処理の例を説明する図である。
【図２０】単価を修正する際の手入力判定処理の例を説明する図である。
【図２１】受注入力画面の明細部の表示例を示す図である。
【符号の説明】
【０１０２】
１  単価管理装置
１１  単価表示部
１２  手入力判定部
１３  色表示変更部
１４  帳票表示部
１５  単価マスタ
１６  システムマスタ
１７  得意先マスタ
１８  商品マスタ
１９  倉庫マスタ
２０  閾値テーブル
２１  受注明細ファイル
２２  帳票色表示テーブル
３１  ヘッド部
３２  明細部
３３  入力部
１００  受注伝票番号欄
１０１  受注日欄
１０２  得意先コード欄
１０３  支店コード欄
１０４  得意先名欄
１１１  システムマスタリード手段
１１２  キー情報取得手段
１１３  単価マスタリード手段
１１４  表示手段
１２１  単価比較手段
１２２  手入力判定手段
１２３  受注明細ファイルリード／ライト手段
１３１  差異率計算手段
１３２  閾値テーブルリード手段
１３３  表示色設定手段
１３４  色表示変更手段
１４１  受注明細ファイルリード手段
１４２  手入力区分判定手段
１４３  帳票表示パターン決定手段
１４４  帳票出力手段
２００  行欄
２０１  商品コード欄
２０２  倉庫コード欄
２０３  数量欄
２０４  受注単価欄
２０５  受注金額欄
２０６  商品名欄
【図１】
2006350405.tif 000003
【図２】
2006350405.tif 000004
【図３】
2006350405.tif 000005
【図４】
2006350405.tif 000006
【図５】
2006350405.tif 000007
【図６】
2006350405.tif 000008
【図７】
2006350405.tif 000009
【図８】
2006350405.tif 000010
【図９】
2006350405.tif 000011
【図１０】
2006350405.tif 000012
【図１１】
2006350405.tif 000013
【図１２】
2006350405.tif 000014
【図１３】
2006350405.tif 000015
【図１４】
2006350405.tif 000016
【図１５】
2006350405.tif 000017
【図１６】
2006350405.tif 000018
【図１７】
2006350405.tif 000019
【図１８】
2006350405.tif 000020
【図１９】
2006350405.tif 000021
【図２０】
2006350405.tif 000022
【図２１】
2006350405.tif 000023